(57)【要約】【課題】挿入体と生体組織との間に生じる隙間内を薬剤組成物で確実に塞ぎ、感染症や炎症の発生リスクを大幅に軽減することができる薬剤組成物塗布デバイスを提供する。【解決手段】生体に挿入される挿入体（１１）と生体組織との間の隙間に薬剤組成物（Ｙ）を塗布する薬剤組成物塗布デバイス（１０）であって、挿入体（１１）と、生体組織に対する抗菌性および流動性を有する薬剤組成物（Ｙ）を収容したバッグ（Ｂ）内とを有し、バッグ（Ｂ）を破裂させることにより薬剤組成物（Ｙ）を隙間に流出させることを特徴とする。【選択図】図１
2012132774.tif 000002
【特許請求の範囲】
【請求項１】
生体に挿入される挿入体と生体組織との間の隙間に薬剤組成物を塗布する薬剤組成物塗布デバイスであって、
前記挿入体と、
前記挿入体に設けられ、前記生体組織に対する抗菌性を有しかつ流動性を備えた前記薬剤組成物が内部に収容された収容部と、
前記収容部を開封自在な開封部と、を有し、
前記収容部の開封に伴って流出される前記薬剤組成物が、前記挿入体の少なくとも一部を伝わって流れることにより前記隙間へ案内されることを特徴とする薬剤組成物塗布デバイス。
【請求項２】
前記収容部は、前記薬剤組成物を封入可能な袋状のバッグによって構成され、
前記開封部は、前記バッグの少なくとも一部に設けられたシール強度が弱い弱シール部によって構成され、
前記弱シール部の破断により前記バッグが開封されることを特徴とする請求項１に記載の薬剤組成物塗布デバイス。
【請求項３】
前記バッグは、隔壁を隔てて区画された複数の収容室を有し、各収容室に異なる薬剤組成物を収容し、前記バッグの破裂操作により前記異なる薬剤組成物を混合することを特徴とする請求項２に記載の薬剤組成物塗布デバイス。
【請求項４】
前記バッグは、異なる薬剤組成物がそれぞれ収容された複数のバッグからなり、これらのバッグの破裂操作により前記異なる薬剤組成物を混合することを特徴とする請求項２又は３に記載の薬剤組成物塗布デバイス。
【請求項５】
前記挿入体は、生体に挿入される挿入部材と、該挿入部材の近位端側に設けられた大径部とを有し、該大径部に前記収容部を設けたことを特徴とする請求項１〜４のいずれか１項に記載の薬剤組成物塗布デバイス。
【請求項６】
前記挿入体は、前記挿入部材が外針であり、前記大径部がカテーテルハブから構成された留置針である請求項５に記載の薬剤組成物塗布デバイス。
【請求項７】
前記薬剤組成物は、特定の色で着色したことを特徴とする請求項１〜６のいずれか１項に記載の薬剤組成物塗布デバイス。
【請求項８】
前記挿入体は、前記薬剤組成物が該挿入体を伝わって前記隙間へ向けて流下するように前記薬剤組成物の流れをガイドするガイド部を有する請求項１〜７のいずれか１項に記載の薬剤組成物塗布デバイス。
【発明の詳細な説明】
【技術分野】
【０００１】
本発明は、生体に挿入留置される挿入体と生体組織との間の隙間内に薬剤組成物を塗布し、外部から隙間内への細菌や汚れなどの異物の入り込みを防止する薬剤組成物塗布デバイスに関する。
【背景技術】
【０００２】
一般に、生体に挿入体を挿入し留置するときには、挿入体と生体組織（例えば、体表面）との間に隙間が生じることがあり、この隙間に微生物（例えば、皮膚に常在する細菌）や汚れなどの異物が入り込むと、感染症や炎症を引き起こすおそれがある。【０００３】
このような感染症や炎症を防止するため、従来から生体に挿入した挿入体あるいはその周辺部を上から覆うように粘着性フィルムドレッシングを貼付する処置（下記特許文献１参照）、抗菌性繊維から形成されたパッド（下記特許文献２参照）、あるいは抗菌剤放出用の重合体を含む弾性パッドにより挿入体あるいはその周辺部を覆うように貼付する処置（下記特許文献３参照）などが取られている。
【先行技術文献】
【特許文献】
【０００４】
【特許文献１】特開平９−９４２９９号
【特許文献２】特開２００８−２２０６３３号
【特許文献３】特許第３０４６６２３号
【発明の開示】
【発明が解決しようとする課題】
【０００５】
このようなドレッシング剤やパッドを挿入体あるいはその周辺部に貼付する処置は、感染症や炎症の予防に対して一定の効果を得ることができる。【０００６】
ところが、このようなドレッシング剤やパッドにより挿入体あるいはその周辺部を覆う処置は、挿入体と生体組織との間の隙間を単に上方から覆うのみであるため、隙間内に入り込んだ細菌や汚れなどの異物に対しては対処できず、確実に感染症や炎症を防止することは難しい。【０００７】
また、パッドを貼着する場合、挿入体の外径をパッドに開設された開口の内径よりも小さくしなければならず、挿入体あるいはパッド開口のサイズ選定が困難になることもあり、場合によっては、挿入体の全周あるいは全方位を確実に塞ぐことができないという不具合もある。【０００８】
本発明は、上述した課題を解決するためになされたもので、挿入体と生体組織との間に生じる隙間を薬剤組成物で確実に塞ぎ、外部から隙間への細菌や汚れなどの異物の入り込みを防止し、感染症や炎症の発生リスクを大幅に軽減することができる薬剤組成物塗布デバイスを提供することを目的とする。
【課題を解決するための手段】
【０００９】
上記目的を達成する本発明の薬剤組成物塗布デバイスは、生体に挿入される挿入体と生体組織との間の隙間に薬剤組成物を塗布する薬剤組成物塗布デバイスであって、前記挿入体と、前記挿入体に設けられ、前記生体組織に対する抗菌性を有しかつ流動性も備えた薬剤組成物が内部に収容された収容部と、前記収容部を開封自在な開封部と、前記収容部の開封に伴って流出される前記薬剤組成物が、前記挿入体の少なくとも一部を伝わって流れることにより前記隙間へ案内されるようにしたことを特徴とする。
【発明の効果】
【００１０】
本発明は、生体組織に対する抗菌性を有しかつ流動性を備える薬剤組成物が収容された収容部を挿入体に設け、この収容部の開封に伴って流出する薬剤組成物が、挿入体の少なくとも一部を伝わって挿入体と生体組織との間の隙間へ案内されるようにしたので、挿入体を生体に挿入した後に、収容部を開封させる作業のみで隙間の入口部分である挿入部の周辺部分を薬剤組成物で覆うことができる。さらに、従来の粘着性フィルムドレッシングあるいはパッドでは粘着部に手指が触れ、手指に付着した細菌や血液、汚れなどにより粘着部を汚染させていたが、挿入時に粘着部に触れることなく挿入部の周辺部分を薬剤組成物で覆うことができる。したがって、手技者は、挿入体を生体に挿入した後、挿入体と生体組織との間に生じる隙間内に細菌や汚れなどの異物が入り込み、感染症や炎症を発生させるリスクを大幅に軽減できる。また、従来のように挿入体の外径あるいはパッド開口などのサイズ選定作業は全く不要となり、手技数やデバイス数の増加を最小限に抑えて、手技の迅速化を図ることができ、手技の利便性も大幅に向上する。【００１１】
請求項２の発明は、収容部が、薬剤組成物を封入可能な袋状のバッグによって構成され、かつ、開封部が当該バッグの少なくとも一部に設けられたシール強度が弱い弱シール部によって構成されているため、弱シール部の破裂により前記薬剤組成物を前記挿入体と生体組織との間の隙間に向かって流出させることができる。特に、手技者は、挿入体を生体に挿入した後に、バッグの弱シール部を破裂させるので、挿入体の挿入操作と、弱シール部の破裂操作を独立して行うことができ、挿入体の挿入操作を繰り返した後に、所望の位置にセットする場合に有効なものとなり、挿入体の挿入セット後、１回の破裂操作で所定量の薬剤組成物を適切に塗布でき、手技の利便性が大幅に向上する。【００１２】
請求項３の発明は、バッグ内を隔壁により複数の収容室に区画し、各収容室に異なる薬剤組成物を収容し、バッグの破裂操作により複数の薬剤組成物を混合することになるので、抗菌性や粘着性などの異なる特性が要求される薬剤組成物であっても問題なくセットすることができ、しかも、混合された薬剤組成物を、生体組織と挿入部材との隙間を塞ぐように、また、挿入部の周辺部分を広く覆うように塗布することもでき、感染症や炎症の発生リスクを大幅に軽減することができる。特に、１つのバッグ内を隔壁により複数の収容室に区画すれば、１回の押し潰し操作により混合された薬剤組成物を、前記隙間乃至挿入部の周辺部分に塗布できる。【００１３】
請求項４の発明では、バッグが異なる薬剤組成物をそれぞれ収容する複数のバッグからなり、これらの各バッグの弱シール部の破裂操作により前記異なる性状の薬剤を混合するので、前項の効果に加え、バッグの破断を行いやすく、手技の利便性が向上する。【００１４】
請求項５の発明は、挿入体が、生体に挿入される挿入部材と、該挿入部材の近位端側に設けられた大径部とを有し、該大径部に収容部を設けたので、通常の手技、つまり、挿入部材を大径部近傍まで挿入する手技を行う場合、前記挿入部材を挿入した状態では、操作した手先の近傍に収容部が存在することになり、収容部の開封を容易に行うことができる。また、収容部の開封は、生体組織と挿入部材との隙間の入口部分近傍でなされるので、当該収容部から流出した薬剤組成物は、直ちに生体組織と挿入部材との隙間を塞ぐと共に、挿入部の周辺部分を覆うように塗布され、感染症や炎症の発生リスクを大幅に軽減することができる。【００１５】
請求項６の発明は、挿入体が、前記挿入部材としての外針と、前記大径部としてのカテーテルハブとを有する留置針であるので、前項の効果を有効に発揮し、円滑な手技を容易に行うことができる。【００１６】
請求項７の発明では、薬剤組成物が着色されるため、挿入体を挿入する場合に、薬剤組成物自体が一種の目安となり、挿入体の穿刺部分の範囲や封止具合などを目視で確認でき、手技を円滑にかつ確実に行うことができる。【００１７】
請求項８の発明では、薬剤組成物が挿入体を伝わって隙間へ向けて流下するように薬剤組成物の流れをガイドするガイド部が設けられるため、収容部から隙間までの薬剤組成物の円滑な流れを形成することができ、薬剤組成物の塗布を簡単かつ迅速に行うことができる。
【図面の簡単な説明】
【００１８】
【図１】本発明の第１実施形態を示す一部破断概略正面図である。
【図２】同実施形態の作用状態を示す概略斜視図である。
【図３】本発明の第２実施形態を示す要部概略斜視図である。
【図４】同実施形態の変形例を示す要部概略斜視図である。
【図５】本発明の第３実施形態を示す概略斜視図である。
【図６】本発明の第４実施形態を示す概略斜視図である。
【発明を実施するための最良の形態】
【００１９】
以下、図面を参照して、本発明の実施の形態を詳細に説明する。
（第１実施形態）
図１は本発明の第１実施形態を示す一部破断概略正面図、図２は同実施形態の作用状態を示す概略斜視図である。本発明に係る挿入体の対象とされるものは、後に例示するように種々のものがあるが、本実施形態では、留置針について説明する。【００２０】
本実施形態の留置針１０は、図１に示すように、外針部１１と、内針部１５とを有し、例えば、輸液などの動静脈留置用あるいは人工透析に用いる透析装置の動静脈瘻留置用として使用される。外針部(通常、カテーテルと称される)１１は、大径部を構成する外針ハブ（カテーテルハブ）１２と、外針ハブ１２の近位端に設けられた軟質樹脂製の外針１３とから構成されている。外針ハブ１２の構成材料としては、透明（無色透明）、着色透明または半透明の樹脂で構成され、内部の視認性が確保されているものが好ましく、例えば、ポリエチレン、ポリプロピレン、エチレン−酢酸ビニル共重合体等のポリオレフィン、ポリウレタン、ポリアミド、ポリエステル、ポリカーボネート、ポリブタジエン、ポリ塩化ビニル等の各種樹脂材料が挙げられる。外針１３の材質としては、例えば樹脂材料、特に、軟質樹脂材料が好適であり、その具体例としては、例えば、ＰＴＦＥ、ＥＴＦＥ、ＰＦＡ等のフッ素系樹脂、ポリエチレン、ポリプロピレン等のオレフィン系樹脂またはこれらの混合物、ポリウレタン、ポリエステル、ポリアミド、ポリエーテルナイロン樹脂、前記オレフィン系樹脂とエチレン−酢酸ビニル共重合体との混合物等が挙げられる。このような外針１３は、その全部または一部が内部の視認性を有しているのが好ましい。すなわち、外針１３は、透明（無色透明）、着色透明または半透明の樹脂で構成されているのが好ましい。これにより、外針１２が血管を確保した際、血液が後述する内針１７を通って外針ハブ１２に流入する現象（フラッシュバック）を目視で確認することができる。また、外針１３の構成材料中には、例えば硫酸バリウム、炭酸バリウム、炭酸ビスマス、タングステン酸のようなＸ線造影剤を配合したり、ガドリニウム塩のようなＭＲＩ視認剤を配合し、造影機能を持たせることもできる。【００２１】
内針部１５は、中央部分に設けられた内針ハブ１６と、内針ハブ１６の近位端側に設けられた金属製の内針１７と、内針ハブ１６の遠位端側に設けられたフィルター１８と、フィルターキャップ１９と、から構成されている。内針ハブ１６の材質としては、外針ハブ１２と同質の材料を使用することが出来る。内針１７の材質としては、例えばステンレス鋼、アルミニウムまたはアルミニウム合金、チタンまたはチタン合金のような金属材料が挙げられる。【００２２】
なお、留置針１０は、通常、外針１３内に内針１７を挿入した状態で、密閉ケース（不図示）内に収納され、保存されている。【００２３】
留置針１０を使用するに当たっては、次のように行う。まず、外針１３に内針１７が挿入された状態の留置針１０を生体に穿刺する。そして、内針１７のみを抜去することで、外針１３を生体内に留置させ、その後、例えば、輸液を行う場合には、外針ハブ１２に輸液チューブを連結することになる。【００２４】
生体に留置された外針１３は、生体と外針１３との間に隙間が生じる。この隙間に薬剤組成物Ｙ１を塗布するように、本実施形態の留置針１０では、図１に示すように、挿入体である外針部１１に、生体組織に対する抗菌性を有しかつ流動性も備えた薬剤組成物Ｙ１が内部に封入された袋状のバッグ（収容部に相当する）Ｂを設けている。バッグＢには、少なくとも一部にシール強度の異なる弱シール部（開封部に相当する）Ｊが設けられており、このバッグＢの弱シール部Ｊを破裂させることにより薬剤組成物Ｙ１を外針部１１と生体組織との間の隙間に向かって流出させるようにしている。【００２５】
具体的には、外針部１１における外針ハブ１２の先端側（外針１３よりも大径に形成されたカテーテルハブ先端部）に薬剤組成物Ｙ１を収容するバッグＢを設けている。外針１３は、生体の表面に対し斜め上方から挿入され、傾斜した状態で留置されるが、通常の手技では、基本的に外針ハブ１２（カテーテルハブ先端部）近傍まで生体内に挿入されることになるので、この挿入した後の状態で、手先近くとなる位置である外針ハブ１２の上部にバッグＢを設けると、外針１３を生体に挿入した後に、使用者がバッグＢを破裂操作するための加圧力Ｐを加え易いものとなる。【００２６】
なお、バッグＢを設ける位置としては、必ずしも外針ハブ１２（カテーテルハブ先端部）の上部のみに限定されるものではなく、側部あるいは下部、上部と側部の中間位置であってもよく、外針ハブ１２上に位置し、カテーテル外周上に薬剤組成物Ｙ１を流出できる位置であればいずれに設けてもよい。また、バッグＢは、外針部１１に着脱可能に構成されていてもよい。このように構成される場合、外針部１１を生体に挿入した後にバッグＢを外針部１１に装着させて薬剤組成物Ｙ１を流出させる操作を行ってもよいし、薬剤組成物Ｙ１を流出させる操作を行う前に外針部１１にバッグＢを装着させてもよい。【００２７】
そして、加圧力ＰによってバッグＢの弱シール部Ｊを破裂させると、バッグＢからは、図２に矢印で示すように、薬剤組成物Ｙ１が流出することになる。薬剤組成物Ｙ１は、重力により外針ハブ１２から外針１３に沿って流れ、生体と外針１３との間の隙間に向うことになる。薬剤組成物Ｙ１は、流動性のみならず、抗菌性を有するので、生体組織と挿入部材との隙間を塞ぐとともに、挿入部の周辺部分をも覆って、感染症や炎症の発生リスクを大幅に軽減することができる。したがって、使用者は、外針１３を生体に挿入してバッグＢの弱シール部Ｊを破裂させる加圧力Ｐを加える手技を行うのみで、外針１３と生体組織との隙間および挿入部の周辺部分の汚染を薬剤組成物Ｙ１により防止できる。特に、使用者は、外針１３を生体に挿入する操作と、弱密封シール部Ｊを破裂させる操作とをそれぞれ独立して行うことができるので、外針１３の挿入操作を繰り返した後に、所望の位置にセットする場合には有効なものとなる。なお、バッグＢの弱シール部Ｊを破裂させるための加圧力Ｐは、使用形態に応じて任意に設定することが可能であるが、使用者の手による押圧で使用者に過度な負担を掛けることなくバッグＢを開封させることが可能な範囲で設定されることが好ましく、本実施形態においては、例えば、０．１〜５Ｎ/１０ｍｍ、特に好ましくは、０．３〜３Ｎ/１０ｍｍ程度に設定することができる。また、外針部１１とともにバッグＢは非常に小さく形成される場合があるが、このような場合には使用者の手ではバッグＢに加圧力Ｐを加えづらいので、バッグＢを押圧し易くすることによってバッグＢに加圧力Ｐを加え易くするための開封具（不図示）を挿入体に装着・離脱することもできる。【００２８】
特に、薬剤組成物がムダに使用されたり、なくなったりすることがなく、外針１３の挿入セット後、１回の破裂操作で所定量の薬剤組成物Ｙ１を適切に塗布でき、手技の利便性が大幅に向上する。つまり、薬剤組成物Ｙ１を塗布するデバイスとしては、外針１３の外周面に薬剤組成物Ｙ１を塗布するものも考えられるが、このようなデバイスと比較すれば、薬剤組成物Ｙ１がムダに使用されたり、なくなったりすることがなく、手技を良好に行うことができる。【００２９】
薬剤組成物Ｙ１を収容するバッグＢとしては、軟質材料で、薬剤組成物Ｙ１と反応しない性質を有するものであれば、どのようなものであってもよいが、具体的には、例えば、ポリオレフィンを含むものであるのが好ましい。軟質バッグ２の形成材料として、特に好ましいものとして、ポリエチレンまたはポリプロピレンに、スチレン−ブタジエン共重合体やスチレン−エチレン−ブチレン−スチレンブロック共重合体等のスチレン系熱可塑性エラストマーあるいはエチレン−プロピレン共重合体やエチレン−ブテン共重合体，プロピレン−αオレフィン共重合体等のオレフィン系熱可塑性エラストマーをブレンドし柔軟化した軟質樹脂等によって構成されたものが挙げられる。【００３０】
バッグＢは、外針１３に対し常時取付けられていてもよく、また、独立に形成され、使用時に取り付けるようにしてもよい。例えば、常時取付ける場合には、接着剤による接着や、融着、バッグＢの材料自体の粘着性を利用する方法など公知の技術を用いることができる。【００３１】
バッグＢに収容する薬剤組成物Ｙ１としては、生体内に外針１３を挿入したときに、当該外針１３と生体組織との間の隙間を塞ぐものであれば、どのようなものであってもよいが、本実施形態では、外針１３と共に生体内に入り込みやすく、感染症などを防止するために、抗菌性を有する薬剤で構成されている。また、薬剤組成物Ｙ１は、上述のように外針１３に沿って伝わるため流動性を有する液状のものであることが好ましく、外針１３と生体組織との隙間を閉塞可能な適度な粘着性を有する薬剤であることが好ましい。【００３２】
さらに、薬剤組成物Ｙ１は、生体内吸収分解性の素材により構成してもよい。このような素材であれば、外針１３を生体に留置する場合、留置期間の調整が不要になるか、もしくは調整が容易になる。【００３３】
薬剤組成物Ｙ１の具体例としては、例えば、２−オクチルシアノアクリレート、2-シアノアクリル酸エステルモノマーなどのシアノアクリレート系接着剤、例えば、ポリアクリルアミド、ポリビニルアルコール、ポリビニルエチルエーテル系、変性コラーゲン、ポリビニルピロリドン、ゼラチン、ヒドロキシエチルメタクリレートなどのハイドロゲルや、例えば、ポリウレタン、ポリエーテルウレタンウレア、シリコーンエラストマー、ポリメチルメタクリレート、ポリエチレングリコールおよびそのエステル体などのエラストマーを挙げることができる。【００３４】
これに加える抗菌性を有する薬剤としては、例えば、ペニシリン系、セフェム系、モノバクタム系、カルバペネム系、アミノグリコシド系、ニューキノロン系、マクロライド系、クリンダマイシン、テトラサイクリン系、メトロニダゾール、ＳＴ合剤、グリコペプチド系、ストレプトグラミン系、オキサゾリジノン系、リポペプチド系、グリシルサイクリン系、グリコペプチド系、クロラムフェニコール系、ケトライド系などの抗菌剤や、核酸系のたんぱく質合成阻害薬、ピリドンカルボン酸系の合成抗菌剤、葉酸代謝阻害剤、例えばクロルヘキシジン、ポビドンヨード、ヨードチンキ、エタノール、イソプロパノール、イソプロピルアルコール、オキシドールなどの消毒薬や、例えば銀、銅、亜鉛などの金属イオンなどが挙げられる。これらを適宜選択してバッグＢに収容すればよい。【００３５】
前述した留置針１０を密閉ケース（不図示）内に収納するに当たり、密閉ケースの内部に乾燥剤あるいは脱酸素剤若しくはこれらと共にチェッカーを収納してもよい。このようにすれば、薬剤組成物Ｙの変質を防止でき、長期にわたり保存できる。また、使用時においてもチェッカーを目視することにより使用の可否を判断でき、利便性が向上する。
（第２実施形態）
図３は本発明の第２実施形態を示す要部概略斜視図、図４は同実施形態の変形例を示す要部概略斜視図である。本実施形態は、図３に示すように、薬剤組成物Ｙ２およびＹ３を収容するバッグＢ内が隔壁Ｓによって複数の収容室Ｒ１，Ｒ２に区画され、各収容室Ｒ１，Ｒ２に異なる性状の流動性のある薬剤組成物Ｙ２およびＹ３が収容され、バッグＢの破裂操作により２つの異なる薬剤組成物Ｙ２，Ｙ３が混合され、外針１３の外周面に沿って流れ、外針１３と生体組織との間の隙間に入り込むようにしている。なお、隔壁Ｓで隔てられた収容室Ｒ１，Ｒ２の配置は、図３に示すように、軸線方向左右であってもよく、軸線に対し上下であってもよいが、いずれにしてもこれらに限定されるものではない。【００３６】
第１実施形態では単一のバッグＢ内に薬剤組成物を封止しているが、本実施形態では異なる薬剤組成物Ｙ２、Ｙ３をそれぞれ各収容室Ｒに封止し、両者が混合されると、抗菌性、流動性及び粘着性を発揮するようにしている。両者の混合方法としては、特に限定されないが、収容室Ｒ１と収容室Ｒ２を隔てる隔壁Ｓを弱シール部Ｊ１で連結する方法がある。この場合、収容室Ｒ１と収容室Ｒ２の弱シール部Ｊ１のシール強度を、収容室Ｒ１から外部へ流出させる部分の弱シール部Ｊ２の強度より弱く設定することで、バッグＢを押し付けることにより、まず収容室Ｒ２から収容室Ｒ１へ液体が移動し、その後、収容室Ｒ１から外部へと液体が移動することになり、両薬剤組成物Ｙ２、Ｙ３を確実に混合させることができる。【００３７】
また、収容室Ｒ１と収容室Ｒ２の弱シールの位置関係が、図４に示すように、交差する位置関係、つまり押し出された後に、両薬剤組成物Ｙ２、Ｙ３が混合されることになるような配置でも良い。【００３８】
具体的には、薬剤組成物Ｙ２としては、例えば、アルギン酸、トリリジンおよびエステル活性基、又はアルデヒド基などを有するＰＥＧ、ＰＶＡなど生体適合性の高い高分子が挙げられ、薬剤組成物Ｙ３としては、例えば、Ｃａ、ＰＥＧエステルおよびアミン基、イミド基などを有する低分子化合物又はＰＥＧ、ＰＶＡなどの生体適合性の高い高分子などが挙げられる。【００３９】
特に、図３に示す実施形態では、隔壁Ｓを隔てて２つの収容室Ｒ１，Ｒ２が独立に配置されているので、薬剤組成物Ｙ２およびＹ３の混合に時間差をもたせることができることになり、手技の状態に応じて適宜、薬剤組成物Ｙ２あるいはＹ３の放出時点を調整することも可能となり、手技の汎用性あるいは利便性が向上する。なお、収容室Ｒの数は、２つのみに限定されるものではなく、使用する薬剤組成物Ｙの種類あるいは手技などに応じて適数個にすることができることはいうまでもない。
（第３実施形態）
図５は本発明の第３実施形態を示す概略斜視図である。本実施形態は、図５に示すように、外針１３の先端部１３ａが、外針１３の軸線Ｘに対する傾斜角θが鋭角となるように削落されている場合に有効なものである。【００４０】
すなわち、外針１３の先端部１３ａが削落されている場合、通常、先端部１３ａの斜面が上になる状態で生体に挿入される。したがって、カテーテルハブ１２の上下対向する位置にバッグＢ１，Ｂ２を設けると、通常の操作時に、上下からバッグＢ１，Ｂ２を破断し、内部の薬剤組成物Ｙ２，Ｙ３を流出させることができ、バッグＢ１，Ｂ２の破断を自然な操作で行うことができ、破断時に違和感なく使用できる使い勝手のよいデバイスとなる。【００４１】
なお、本実施形態においても、バッグＢの数は、薬剤組成物Ｙの数などに対応して適数個設けてもよい。【００４２】
また、薬剤組成物Ｙは、全てを単一色で着色してもよく、場合によっては、薬剤組成物Ｙ２とＹ３を個別に特定の色で着色してもよい。いずれにしても薬剤組成物Ｙが着色されると、外針１３を挿入する場合に、薬剤組成物自体が一種の目安となり、外針１３の穿刺部分の範囲や封止具合などを目視で確認でき、手技を円滑にかつ確実に行うことができる。可視化剤として、例えば、L−アスコルビン酸（ビタミンC）、Ｌ−アスコルビン酸カルシウム、ステアリン酸エステルなどのビタミン系着色剤、アマランス、エリスロシン、アルラレッドAC、ニューコクシン、フロキシン、アシッドレッド、タートラジン、サンセットイエローFCF、ファストグリーン、カルミン酸などの食用着色剤が挙げられる
（第４実施形態）
図６（Ａ）〜（Ｃ）は本発明の第４実施形態を示す概略斜視図である。本実施形態は、挿入体を構成する外針部１１に薬剤組成物の流れをガイドするガイド部１４が設けられている点において上述した各実施形態と相違する。このガイド部１４は、バッグＢから流出された薬剤組成物が外針部１１を伝わって外針部１１と生体組織との間の隙間へ向けて流下するように、薬剤組成物の流れをガイドする機能を備えるものである。【００４３】
なお、本実施形態に係る外針部１１として、外針ハブ１２と外針１３とが別体で設けられ、この両部材を組み付けた状態で使用される構成のものを示しているが、外針部１１はこのような構成に限定されず、例えば、上述した各実施形態において示されるような外針ハブ１２と外針１３とが予め一体的に製造されたものを使用してもよい。【００４４】
図６（Ａ）に示すように、ガイド部１４は、例えば、外針ハブ１２の先端に設けられた溝１４ａと、外針１３に設けられた溝１４ｂとによって構成することができる。バッグＢから流出させた薬剤組成物は、溝１４ａに沿って流下した後、溝１４ｂに沿って流下する。図示するように、溝１４ａの下端と溝１４ｂの上端とを近接するように配置すれば、外針ハブ１２から外針１３へ薬剤組成物をより円滑に流下させることができる。そして、溝１４ｂに流れ込んだ薬剤組成物は、溝１４ｂの下端から流れ出て、生体組織と外針部１１との間の隙間へ案内される。【００４５】
このように、ガイド部１４を設けることにより、バッグＢから生体組織と外針部１１との間の隙間までの薬剤組成物の円滑な流れを形成することができるため、生体組織と外針部１１との間の隙間、およびその周辺部への薬剤組成物の塗布を簡単かつ迅速に行うことができる。これにより、本デバイスの利便性をより一層向上させることができる。【００４６】
ガイド部１４には、例えば、図６（Ｂ）に示すような側壁２４を設けることができる。側壁２４は、薬剤組成物が流下する際に各溝１４ａ、１４ｂ内から薬剤組成物が不用意に流出することを防止し、塗布が予定されていない部位に薬剤組成物が垂れたり、付着したりすることを防止する。したがって、ガイド部１４とともに側壁２４を設けることにより、生体組織と外針部１１との間の隙間に薬剤組成物を無駄なく、かつ確実に塗布することが可能になる。【００４７】
また、例えば、図６（Ｃ）に示すように、外針１３の所定の部位にガイド機能を備える湾曲形状を付与し、この部位をガイド部１４として機能させることも可能である。図示するように、ガイド部１４を構成する湾曲部分は、外針１３において外針ハブ１２側に位置する根本部分から外針１３の先端側へ向けて外径が徐々に大きくなるように形成することができる。外針ハブ１２から流下する薬剤組成物は、外針１３に設けられたガイド部１４を経由して、外針１３の先端側へ流下する。この際、薬剤組成物は、ガイド部１４の湾曲形状に沿うように先端側へ流下し、生体組織と外針部１１との間の隙間へ案内される。このようなガイド部１４によれば、外針ハブ１２の外径と外針１３の外径との寸法差によって両部材の接続部分に段差が形成されているような場合においても、外針ハブ１２から外針１３へ薬剤組成物を円滑に流下させることができる。【００４８】
本発明は、上述した各実施形態のみに限定されるものではなく、本発明の技術的思想内において当業者により種々変更が可能である。例えば、前述した実施形態は、挿入体として留置針の外針について説明したが、本発明は、これのみでなく、挿入体の対象となり得るものとしては、例えば、血管カテーテル、導尿カテーテル及び硬膜外カテーテル等の各種カテーテル、又は、留置針、ヒューバー針の挿入部、留置ドレーン、腹膜透析チューブ、あるいは生体埋め込み型医療機器のケーブル、さらには気管切開カニューレなどがある。【００４９】
また、本発明は、挿入体に設けられた収容部から流出させた薬剤組成物を、該挿入体の少なくとも一部に沿って流下させることにより、該挿入体と生体組織との間の隙間へ薬剤組成物が案内される機能が発揮され得る限りにおいて、各構成を変更することが可能である。例えば、各実施形態においては薬剤組成物を収容する収容部に袋状のバッグを利用した形態を示したが、収容部は、薬剤組成物を収容して保持し得る機能を有する限りにおいて変更することができ、例えば、バッグの代わりに硬質または軟質の樹脂材料からなる容器などを用いることもできる。収容部を開封する開封部についても、収容部を開封自在な構成を備える限りにおいて変更することが可能であり、弱シール部の代わりに、例えば、嵌合式のキャップ、押圧や引っ張るなどの操作によって破断するキャップ、開閉機構が設けられた弁体を内部に備えるキャップなど、流体および流動体の流出操作を行うために用いられる公知の部材の中から適宜選択することが可能である。
【産業上の利用可能性】
【００５０】
本発明は、生体に挿入留置される挿入体と生体組織との間の隙間内および挿入部の周辺部分に薬剤を塗布する薬剤組成物塗布デバイスとして利用可能である。
【符号の説明】
【００５１】
１０…薬剤組成物塗布デバイス、
１１…外針部（挿入体）、
１２…外針ハブ（大径部）、
１３…外針（挿入部材）、
１４…ガイド部、
Ｂ（Ｂ１，Ｂ２）…バッグ（収容部）、
Ｊ（Ｊ１，Ｊ２）…弱シール部（開封部）、
Ｒ１，Ｒ２…収容室、
Ｓ…隔壁、
Ｙ（Ｙ１，Ｙ２，Ｙ３）…薬剤。
【図１】
2012132774.tif 000003
【図２】
2012132774.tif 000004
【図３】
2012132774.tif 000005
【図４】
2012132774.tif 000006
【図５】
2012132774.tif 000007
【図６】
2012132774.tif 000008
【国際調査報告】
2012132774.tif 000009
2012132774.tif 000010